(57)【要約】【課題】  餌のサイズや種類を問わず、釣り人の意図に応じて太刀魚テンヤ全体の姿勢を容易に調整することができる釣り具を提供する。【解決手段】  ヘッド部材である錘１０と、ヘッド部材の錘１０から後方へ延び出した釣り針２０と、釣り針２０の軸に餌の胴体へ突き刺すエサ止め２１とを備えた釣り具であって、ヘッド部材の錘１０の頂上部に板状部材１１の一部が埋め込まれ、板状部材１１にハリスと接続するためのラインアイとして、フロント接続アイ１２、センター接続アイ１３およびリア接続アイ１４の複数のラインアイが開口されている。【選択図】図３
0003217356.tif 000002
【実用新案登録請求の範囲】
【請求項１】
ヘッド部材と、ヘッド部材から後方へ延び出した釣り針と、釣り針の軸に餌の胴体へ突き刺すエサ止めとを備えた釣り具であって、
前記ヘッド部材の頂上部に複数の貫通孔を開口して、ハリスと接続するためのラインアイとした
ことを特徴とする釣り具。
【請求項２】
前記ヘッド部材の頂上部に板状部材の一部が埋め込まれ、
前記複数の貫通孔は、前記板状部材に設けられている
ことを特徴とする請求項１記載の釣り具。
【請求項３】
前記ヘッド部材の頂上部に複数の凹部が設けられ、
前記複数の貫通孔は、前記凹部に金属製線材をそれぞれ架けることで形成される
ことを特徴とする請求項１記載の釣り具。
【請求項４】
前記複数の貫通孔は、前記ヘッド部材の頂上部から先端に向かって長手方向に並んで形成されている
ことを特徴とする請求項１〜３のいずれか１項に記載の釣り具。
【請求項５】
前記複数の貫通孔の一つは、少なくとも前記ヘッド部材の先端側および前記ヘッド部材の後端側に形成されている
ことを特徴とする請求項１〜４のいずれか１項に記載の釣り具。 
【考案の詳細な説明】
【技術分野】
【０００１】
本考案は、太刀魚釣りに用いられるテンヤ等の釣り具に関する。
【背景技術】
【０００２】
太刀魚釣りでは、錘と釣り針とを一体化したテンヤが使用されることがある。図９は従来の太刀魚テンヤの構成を示す図である。テンヤ９０は、鉛等の金属で構成されるヘッド部分の錘９１と釣り針９２とが一体化されており、釣り針９２には、餌を固定するためのエサ止め９３が設けられている。エサ止め９３は、１本のみのこともあれば、２本ないし３本と並べて設けられることもある。このエサ止め９３の上から餌を押し刺してワイヤー線等で巻いて餌を固定して釣りに用いられる。また、錘９１にはハリスを接続するためのラインアイ９４が設けられており、接続金具のスナップ９５やサルカン等を介してライン９６が接続されている。太刀魚テンヤに関しては、餌の取り付け時に餌のサイズや種類によってバランスを欠き、太刀魚テンヤが海中で傾いてしまい釣果を悪化させる等の問題を解消するため、種々の提案がなされている（例えば、特許文献１参照。）。
【先行技術文献】
【特許文献】
【０００３】
【特許文献１】特開平８−１６３９３９号公報
【考案の概要】
【考案が解決しようとする課題】
【０００４】
しかしながら、上記特許文献１に示される従来の太刀魚テンヤでは、釣針に取り付けられた餌を海中で平衡状態に維持することができるものの、釣り人の意図に応じて太刀魚テンヤ全体の姿勢を調整することができないという問題がある。
【０００５】
また、従来の太刀魚テンヤでは、ヘッド部分の錘９１に設けられているラインアイ９４が固定的であり、太刀魚テンヤの姿勢を調整するためには餌のサイズや種類を調整するか、ラインアイ９４の位置が異なる別の太刀魚テンヤに接続しなおさなければならない。使用する餌によって太刀魚テンヤ全体のバランスもその都度変わるので、釣り人が所望する太刀魚テンヤの姿勢を得るための調整は極めて難しいという問題がある。この点について、図１０に示すように、複数のラインアイ１０４を錘１０１から突出させて設けてバランスの調整を図ろうとする太刀魚テンヤも存在する。しかしながら、図１０のテンヤ１００においてもラインがラインアイ１０４とラインアイ１０４との間に絡まりやすく、一度絡まってしまうと解くことが困難であるという問題がある。
【０００６】
そこで、本考案は、このような問題に鑑みなされたものであり、餌のサイズや種類を問わず、釣り人の意図に応じて太刀魚テンヤ全体の姿勢を容易に調整することができ、また、ラインがラインアイに絡まりにくく、かつ、絡まっても解き易い釣り具を提供することを目的とする。
【課題を解決するための手段】
【０００７】
上記課題を解決するために、本考案に係る釣り具は、ヘッド部材と、ヘッド部材から後方へ延び出した釣り針と、釣り針の軸に餌の胴体へ突き刺すエサ止めとを備えた釣り具であって、前記ヘッド部材の頂上部に複数の貫通孔を開口して、ハリスと接続するためのラインアイとしたことを特徴とする。
【０００８】
これによれば、ヘッド部材の頂上部に複数の貫通孔を開口してラインアイとし、ラインを接続するラインアイの位置を適宜変更することで太刀魚テンヤ全体の姿勢を容易に調整できるので、餌のサイズや種類を問わず、釣り人の意図に応じて太刀魚テンヤの姿勢を調整することが可能で、かつ、ラインが絡みにくく、ラインが絡んだとしても解き易い釣り具が実現される。
【０００９】
ここで、前記ヘッド部材の頂上部に板状部材の一部が埋め込まれ、前記複数の貫通孔は、前記板状部材に設けられているのが好ましい。
【００１０】
これによれば、ヘッド部材の頂上部に板状部材を埋め込んで、この板状部材に複数の貫通孔を開口して複数のラインアイを形成することができる。
【００１１】
また、前記ヘッド部材の頂上部に複数の凹部が設けられ、前記複数の貫通孔は、前記凹部に金属製線材をそれぞれ架けることで形成されるとしてもよい。
【００１２】
これによっても、ヘッド部材の頂上部に複数のラインアイを形成することができる。
ここで、前記複数の貫通孔は、前記ヘッド部材の頂上部から先端に向かって長手方向に並んで形成されているのが好ましい。
【００１３】
これによれば、太刀魚テンヤ全体の重心バランスを前寄りとしたり後寄りとしたりすることができ、太刀魚テンヤの姿勢に幅をもたせて調整することが可能となる。
さらに、前記複数の貫通孔の一つは、少なくとも前記ヘッド部材の先端側および前記ヘッド部材の後端側に形成されているのが好ましい。
【００１４】
これによれば、少なくともヘッド部材の先端と後端とにラインアイが形成されるので、太刀魚テンヤの姿勢に幅をもたせることができる。
【考案の効果】
【００１５】
以上のように、本考案に係る釣り具によれば、ヘッド部材の頂上部に、複数のラインアイの貫通孔を備えた板状部材を埋め込んでラインを接続するラインアイの位置を適宜変更できるようにしているので、餌のサイズや種類を問わず、釣り人の意図に応じて太刀魚テンヤ全体の姿勢を容易に調整することができる。また、錘から突出してラインアイが複数設けられている太刀魚テンヤに比べてラインが絡みにくく、ラインが絡んだとしても解き易くすることができる。
【図面の簡単な説明】
【００１６】
【図１】本考案の実施形態の太刀魚テンヤの構成を示す図である。
【図２】太刀魚テンヤのヘッド部分を示す後方斜視図である。
【図３】太刀魚テンヤにラインを取り付けた状態を示す図である。
【図４】餌を付けた状態の太刀魚テンヤのバランスを説明するための図である。
【図５】餌を付けた状態の太刀魚テンヤのバランスを説明するための図である。
【図６】餌を付けた状態の太刀魚テンヤのバランスを説明するための図である。
【図７】太刀魚テンヤの別の構成を示す図である。
【図８】太刀魚テンヤのヘッド部分の別の構成を示す後方斜視図である。
【図９】従来の太刀魚テンヤにラインを取り付けた状態を示す図である。
【図１０】従来の太刀魚テンヤの別の構成を示す図である。
【考案を実施するための形態】
【００１７】
以下、本考案の実施形態について太刀魚テンヤを例に図面を参照しながら説明する。
【００１８】
図１は、本考案の実施形態の太刀魚テンヤの構成を示す図である。
【００１９】
テンヤ１は、錘１０と釣り針２０とが一体化されて構成されている。ヘッド部材である錘１０が位置する側がテンヤ１の先端であり、錘１０から後方へ釣り針２０が延び出している。釣り針２０の軸には、餌を固定するためのエサ止め２１が針先の曲がる方向と反対方向へ垂直に設けられている。エサ止め２１は、１本のみでもよいし、２本ないし３本と並べて設けてもよい。テンヤ１は、錘１０の後端付近に餌の頭部を配置し、エサ止め２１の上から餌の胴体部分を押し刺してワイヤー線等で巻いて餌を固定して使用する。
【００２０】
錘１０は、魚頭形状に構成されたヘッド部材であり、鉛等の金属によって構成され、錘としても機能する。ハリスを接続するための環部分であるラインアイが複数形成された板状部材１１の一部と釣り針２０の先端部分とが錘１０に埋め込まれるように、錘１０は鋳込まれて形成されている。
【００２１】
板状部材１１は、ラインアイが複数開口された板状の部材である。板状部材１１は、金属や硬質プラスチック等の所定の硬度を有する素材を板状に形成してなり、その一部が錘１０の頂上部に埋設されている。図１および図２に示すように、板状部材１１は錘１０の頂上部分から先端に向かって長手方向に埋め込まれており、錘１０の先端側からフロント接続アイ１２、センター接続アイ１３、リア接続アイ１４の順に長手方向へラインアイが複数個、板状部材１１を貫通する孔として開口されている。
【００２２】
図３に示すように、テンヤ１にライン１６を取り付ける際には、接続金具であるスナップ１５等を介して板状部材１１に設けられた複数のラインアイのうち、いずれか１つのラインアイに接続することができる。なお、スナップ１５等の接続金具を用いずに直接ライン１６を接続するとしてもよい。ここでは、中央に位置するセンター接続アイ１３にスナップ１５を接続する例を示しているが、取り付けられる餌のサイズや種類、また、対象魚の状況や釣り人の意図に応じて、接続先のラインアイを変更することで太刀魚テンヤの姿勢を調整することができる。
【００２３】
図４では、錘１０の先端側に位置するフロント接続アイ１２にスナップ１５を接続し、餌５０を付けた状態を示している。このとき、太刀魚テンヤ全体の重心バランスは後方に位置するため、姿勢が後ろ下がりとなり、針掛かりさせやすくなる。
【００２４】
図５では、図３と同様、錘１０の長手方向中央付近に位置するセンター接続アイ１３にスナップ１５を接続し、餌５０を付けた状態を示している。このとき、太刀魚テンヤ全体の重心バランスは、フロント接続アイ１２にスナップ１５を接続した場合とリア接続アイ１４にスナップ１５を接続した場合との中間となる。
【００２５】
図６では、錘１０の後端側に位置するリア接続アイ１４にスナップ１５を接続し、餌５０を付けた状態を示している。このとき、太刀魚テンヤ全体の重心バランスは前方に寄るため、ほぼ水平に近い姿勢になり、対象魚４０がより餌５０を喰いやすい姿勢を保持することができ、アタリを多く出せるようになる。
【００２６】
このように、本考案の実施形態の太刀魚テンヤによれば、ヘッド部の錘の頂上部に、複数のラインアイの貫通孔を備えた板状部材を埋め込んでいるので、ラインの取り付け先となるラインアイの位置を変更することで太刀魚テンヤ全体の姿勢を容易に調整することができるようになる。すなわち、複数パターンの太刀魚テンヤを所持していなくても、餌のサイズや種類を問わず、釣り人の意図に応じて太刀魚テンヤの姿勢を調整することが可能な太刀魚テンヤが実現される。また、従来のラインアイを複数個突出させた太刀魚テンヤでは、ラインアイとラインアイとの間が開放されているためラインが絡まりやすいという問題があるところ、本実施形態の太刀魚テンヤでは複数のラインアイを貫通孔で構成しているので、ラインアイとラインアイとの間が閉じられており、ラインが絡まりにくく、たとえラインが絡んだとしても解き易い太刀魚テンヤが実現される。
【００２７】
次に、太刀魚テンヤの別の構成について説明する。
【００２８】
図７は、太刀魚テンヤの別の構成を示す図であり、図８はそのヘッド部分の後方斜視図である。
【００２９】
上記実施形態では、ヘッド部の錘の頂上部に、複数のラインアイの貫通孔を備えた板状部材を埋め込む構成としたが、図７に示すテンヤ２では、錘３の頂上部に凹部を複数設けて、凹部を横断（縦断）する線材３１を埋め込むことにより、錘３０の先端側からフロント接続アイ３２、センター接続アイ３３、リア接続アイ３４の順に長手方向へラインアイを複数個形成する構成としている。ここでは、エサ止め２２を形成する金属製線材を延長して線材３１としている例を示しているが、釣り針２０を延長したものとしてもよいし、線材３１を分離した独立の金属製線材で構成してもよい。
【００３０】
このように、ヘッド部材の頂上部に複数の凹部を設け、この凹部にそれぞれ線材を架けることにより複数のラインアイを形成する構成としてもよい。この他にも、複数の貫通孔を備えた板状部材を埋め込むのではなく、ヘッド部材の頂上部に複数の貫通孔をヘッド部材の成型と同時に形成する構成であってもよい。
【００３１】
以上、本考案に係る釣り具について、実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００３２】
例えば、上記実施の形態では、太刀魚テンヤを例に挙げて説明したが、錘に相当するヘッド部材と釣り針という組み合わせで構成されるものであれば、太刀魚テンヤに限られるものではなく、真鯛テンヤや鯛カブラ、ジグヘッド等でも適用可能である。
【００３３】
また、上記実施の形態では、ラインアイが３つ開口されている例を挙げて説明したが、開口されている個数は複数であれば２個でも４個以上であってもよく、開口の間隔も等間隔に限られない。
【００３４】
さらに、ヘッド部材の頂上部分に設けられる複数のラインアイも一列に並べられる構成に限られず、頂上部分に例えばＶ字状に並べられる構成であってもよい。
【産業上の利用可能性】
【００３５】
本考案は、太刀魚釣りや真鯛釣りに用いられるテンヤや鯛カブラ、ジグヘッド等に適用可能である。
【符号の説明】
【００３６】
１，２，９０，１００  テンヤ
１０，３０，９１，１０１  錘
１１  板状部材
１２，３２  フロント接続アイ
１３，３３  センター接続アイ
１４，３４  リア接続アイ
１５，９５  スナップ
１６，９６  ライン
２０，９２，１０２  釣り針
２１，２２，９３，１０３  エサ止め
３１  線材
４０  対象魚
５０  餌
９４，１０４  ラインアイ
【図１】
0003217356.tif 000003
【図２】
0003217356.tif 000004
【図３】
0003217356.tif 000005
【図４】
0003217356.tif 000006
【図５】
0003217356.tif 000007
【図６】
0003217356.tif 000008
【図７】
0003217356.tif 000009
【図８】
0003217356.tif 000010
【図９】
0003217356.tif 000011
【図１０】
0003217356.tif 000012